(57)【要約】      （修正有）【課題】固定カメラを取り外すことなく、固定カメラの焼付きの程度を検査することのできる固定カメラ検査補助具を提供する。【解決手段】固定カメラ検査補助具１００は、内面１２１が連続した面で形成されたドーム形状の本体１２０と、ドーム形状の開口端に沿って内側に複数配置された光源１０２と、光源１０２の電源である電源部１０４とを有している。ドーム形状は、底面の一部が平面等であってもよく、内面１２１全体として連続した面で形成されていればよい。【選択図】図１
2017067665.tif 000002
【特許請求の範囲】
【請求項１】
内面が連続した面で形成されたドーム形状の本体と、
前記ドーム形状の開口端に沿って内側に複数配置された光源と
を備える固定カメラ検査補助具。
【請求項２】
請求項１に記載の固定カメラ検査補助具において、
前記ドーム形状の内面が艶消し白色である
ことを特徴とする固定カメラ検査補助具。
【請求項３】
請求項１又は２に記載の固定カメラ検査補助具において、
前記光源から発光される光は白色である
ことを特徴とする固定カメラ検査補助具。
【請求項４】
請求項１又は２に記載の固定カメラ検査補助具において、
前記光源から発光される光は緑色である、
ことを特徴とする固定カメラ検査補助具。
【請求項５】
請求項１乃至４のいずれか一項に記載の固定カメラ検査補助具において、
前記本体の外面に取り付けられた角度の変化が可能な伸縮自在のハンドル
を更に備える固定カメラ検査補助具。
【請求項６】
固定カメラのレンズが、請求項１乃至５のいずれか一項に記載の固定カメラ検査補助具の前記ドーム形状の開口端により形成される面より内部の位置に配置される配置工程と、
前記光源を点灯させる点灯工程と、
前記配置工程により配置された位置において、前記光源が点灯されている状態で、前記固定カメラにより撮影された画像を保存するが保存工程と、を備える固定カメラ検査方法。
【請求項７】
請求項６に記載の固定カメラ検査補助具において、
前記保存された画像の劣化画素を抽出する劣化算出工程、を更に備える固定カメラ検査方法。
【発明の詳細な説明】
【技術分野】
【０００１】
本発明は、固定カメラ検査用補助具及び固定カメラ検査方法に関し、例えば、建物に設置される固定カメラの検査において適用して好適なものである。
【背景技術】
【０００２】
防犯等の目的により建物の入り口等に設置される固定カメラが普及している。このような固定カメラは、設置位置及び画角が固定されているため、撮影される画像における被写体の変化に乏しく、特に明るく撮影される部分についてカラーフィルタや撮像素子の劣化が進行し、焼付きと呼ばれる現象を起こすことが知られている（特許文献１等参照）。
【先行技術文献】
【特許文献】
【０００３】
【特許文献１】特開平１１−２８４９０５号公報
【発明の概要】
【発明が解決しようとする課題】
【０００４】
このような焼付き現象は、撮影画像の色、明るさ及びコントラスト等に影響を与え、撮影された画像において、人や物の判別や文字の認識等を困難にする恐れがあるため、固定カメラの焼付きについては定期的に検査される必要がある。
【０００５】
固定カメラの焼付きの検査において、検査する固定カメラを固定された位置から取り外すこととなると、実質的に固定カメラの交換と同様の作業量となるため、固定カメラを取り外すことなく、より簡易に検査を行えることが望ましい。
【０００６】
本発明は、以上の点を考慮してなされたもので、固定カメラを取り外すことなく、固定カメラの焼付きの程度を検査することのできる固定カメラ検査補助具及び固定カメラ検査方法を提供しようとするものである。
【課題を解決するための手段】
【０００７】
かかる課題を解決するため本発明においては、固定カメラ検査補助具は、内面が連続した面で形成されたドーム形状の本体と、前記ドーム形状の開口端に沿って内側に複数配置された光源とを備える固定カメラ検査補助具である。
【０００８】
また、本発明においては、固定カメラ検査方法は、固定カメラのレンズが、上述の固定カメラ検査補助具の前記ドーム形状の開口端により形成される面より内部の位置に配置される配置工程と、前記光源を点灯させる点灯工程と、前記配置工程により配置された位置において、前記光源が点灯されている状態で、前記固定カメラにより撮影された画像を保存するが保存工程と、を備える固定カメラ検査方法である。
【発明の効果】
【０００９】
本発明によれば、固定カメラを取り外すことなく、固定カメラの焼付きの程度を検査することができる。
【図面の簡単な説明】
【００１０】
【図１】本実施の形態に係る固定カメラ検査補助具の側面図を示す図である。
【図２】本実施の形態に係る固定カメラ検査補助具の底面図を示す図である。
【図３】本実施の形態に係る固定カメラ検査補助具の使用例について示す図である。
【図４】本実施の形態に係る固定カメラ検査方法を示すシーケンス図である。
【図５】本実施の形態に係る固定カメラ検査補助具の別の使用例について示す図である。
【図６】本実施の形態の変形例に係る固定カメラ検査補助具の側面図を示す図である。
【図７】本実施の形態の変形例に係る固定カメラ検査補助具の底面図を示す図である。
【発明を実施するための形態】
【００１１】
以下図面について、本発明の一実施の形態を詳述する。
【００１２】
（１）本実施の形態における固定カメラ検査補助具の構成
図１及び２は、それぞれ固定カメラ検査補助具１００の側面図及び底面図を示す図である。これらの図に示されるように、固定カメラ検査補助具１００は、内面１２１が連続した面で形成されたドーム形状の本体１２０と、ドーム形状の内側で開口端に沿って複数配置された光源１０２と、光源１０２の電源である電源部１０４とを有している。
【００１３】
ここで、図面においては、ドーム形状は半球状であるが、ドーム形状は、底面の一部が平面等であってもよく、内面１２１全体として連続した面で形成されていればよい。また、ドーム形状を形成する材質は、外部からの光を遮る、例えば金属や樹脂等の遮光素材であることが望ましい。また、光源１０２には、ＬＥＤ（Light Emitting Diode）や有機ＥＬ（Electro Luminescence）照明その他の光源を用いることができる。光源１０２は、内面１２１の底面よりも開口端に近い位置で、反射光も含めて少なくとも底面に光が照射されるように配置される。電源部１０４は、外部からの供給の必要のない充電式等の電池が望ましいが、交流電源等の外部からの供給を必要とするものであってもよい。また、本体１２０の内面１２１は、艶消し白色であることが望ましい。ここで、艶消しとは、光沢度７０％以下を意味するが、光沢度３０％以下であればなお望ましい。光沢度を抑えることにより、光源１０２から照射された光は、内面１２１で乱反射され、より均一に底面周辺を照らすことができる。艶消し白色は、塗装によるものであっても、本体１２０の材料によるものであってもよい。しかしながら、艶があって白色以外の色である場合であっても、カメラの各画素に同様の光を提供する構成において本発明を適用することができる。
【００１４】
（２）固定カメラ補助具の使用例
図３は、本実施の形態に係る固定カメラ検査補助具１００の使用例について示す図である。固定カメラ３００は、例えば天井から吊下げられて設置されるボックス型防犯カメラであり、固定カメラ３００により撮影された画像は、ケーブルを介して送信され、ハードディスク等の記録装置３０１に保存される。ここで、この図に示されるように、固定カメラ検査補助具１００は、固定カメラ３００の外側のレンズ３０２が、本体１２０の開口端１２２で形成される面１１１よりも内側に配置されることが望ましい。これにより、固定カメラ３００が広視野角であったとしても、固定カメラの撮影範囲を本体１２０の内面１２１とすることができ、また開口端１２２が形成する開口を、固定カメラ３００の本体が塞ぐため、外光の影響を受けにくく、検査に適した画像を撮影することができる。ここで固定カメラ３００には、ＣＣＤ（Charge Coupled Device）やＣＭＯＳ（Complementary Metal Oxide Semiconductor）その他のイメージセンサーを用いたカメラを用いることができる。
【００１５】
ここで、本使用例で使用する固定カメラ検査補助具１００は、固定カメラ検査補助具１００を固定カメラ３００に対して安定して配置させるためのハンドル１０５を有している。ハンドル１０５は、更に伸縮自在とすることができ、この場合には、天井等の高い場所や人が入りにくい場所に固定カメラ３００が設置されている場合であっても容易に固定カメラ検査補助具１００を適切な位置に配置させることができる。本使用例では、更に電源部１０４は、配線１０８及び延長配線１０６を介して光源１０２に接続することとしている。延長配線１０６の両端はコネクタ１０７を介して配線１０８に接続されている。このような構成とすることにより、例えば、電源部１０４にスイッチを備える場合には、ハンドル１０５が伸ばされた状態であっても使用者の手元近くで光源１０２のＯＮ／ＯＦＦの切り替えを行うことができる。本実施の形態では、ハンドル１０５は１ｍから１．８ｍまで伸縮し、これにより天井高約３．５ｍのカメラまで対応するものとしている。ハンドル１０５と延長配線１０６を取り替えることで、より高い位置のカメラにも対応することができる。しかしながら、ハンドル１０５、並びに配線１０８及び延長配線１０６を使用することなく、直接本体１２０を固定カメラ３００に対して配置するものであってもよいし、またハンドル１０５は、例えば取付座１１５で着脱可能とし、必要に応じてハンドルを取り付ける構成としてもよい。したがって、本実施の形態の固定カメラ検査補助具１００によれば、固定カメラを取り外すことなく、固定カメラの焼付きの程度を検査することができる。
【００１６】
図４は、本実施の形態に係る固定カメラ検査方法を示すシーケンス図である。この図に示されるように、まず、配置工程Ｓ１において、固定カメラ３００のレンズが、ドーム形状の開口端部により形成される面より内部の位置となるように、固定カメラ検査補助具１００を配置する。次に点灯工程Ｓ２において、電源部１０４から電気を供給し光源１０２を点灯する。ここで、配置工程Ｓ１及び点灯工程Ｓ２の順序は逆であってもよい。その後、撮影工程Ｓ３において、固定カメラ３００は、固定カメラ検査補助具１００の本体１２０の内面１２１の撮影をおこない、撮影された画像は保存工程Ｓ４において、ハードディスクやフラッシュメモリ等の記録装置へ保存される。固定カメラ３００は、配置工程Ｓ１の前から継続して撮影を続けているものであってもよい。
【００１７】
ここで、撮影される画像は、焼き付きのない場合には、画面全体に渡り単調な単一色の画像となるため、この単一色から外れて再生される画像の画素は、カメラの対応する画素において劣化が生じていると判定することができる。例えば内面１２１が白色で、光源１０２も白色である場合に撮影された画像において、焼付きの無い場合は白い均一な画像になるが、焼付きがある場合には、焼付き部分に色が付き輝度が若干上昇する。
【００１８】
このような画像を検査者による目視で焼き付きが発生しているかどうかの判定をしてもよいし、別途の画像処理で焼き付きを検出することとしてもよい。画像処理による焼き付きの検出を行う場合には、画素単位で輝度を計測し、焼付きを認められない部分と輝度の異なる画素をカウントして全画素数との比率より、焼付きの面積比率を算出することとしてもよい。また、画素単位で色度を計測し、白色以外の色度を示した画素の色の偏差値を算出することとしてもよく、更にこれらを組み合わせて、焼付きの面積比と、色の偏差値により、焼付きレベルを判定することとしてもよい。固定カメラ検査方法には、上述のような画像処理をおこなう劣化算出工程Ｓ５（不図示）を含むこととしてもよい。したがって、本実施の形態における固定カメラ検査方法によれば、固定カメラを取り外すことなく、固定カメラの焼付きの程度を検査することができる。
【００１９】
ここで光源１０２により照射される光の色を白色とすることができる。この場合には、例えばいずれの色が劣化している場合であっても、撮影において劣化を感知させることができるため、正確に判定を行うことができる。また、特定の色が劣化している場合には、使用されているカラーフィルタの色に合わせて光源１０２の発光色を変化させることにより、より容易に劣化している画素の部分を視認することができる。例えば、固定カメラ３００がＣ（シアン）、Ｍ（マゼンタ）、Ｙ（イエロー）カラーフィルタを用いている場合には、Ｍ（マゼンタ）が劣化しやすいことが、本発明の発明者の研究により認識されており、Ｍ（マゼンタ）はＧ（緑）の補色であるため、Ｇ（緑）の光源１０２を用いて発光させることにより、よりカラーフィルタのＭ（マゼンタ）の劣化を視認しやすく撮影することができる。このため、例えば光源１０２により照射される光の色を緑色としてもよい。また、本体１２０の内面１２１に多少の汚れがあったとしても、一般的に運用中の固定カメラ３００の焦点は本体１２０の内面１２１より遠方に合わされていることが多いため、内面１２１の汚れは固定カメラ３００の画像に反映されにくい。また、逆に、カメラのレンズに汚れ等があった場合には、撮影画像ではしみのように検出されるため、カメラのレンズなどの汚れ等の検出も行うことができる。
【００２０】
図５は、本実施の形態に係る固定カメラ検査補助具１００の別の使用例について示す図である。図５に示されるように、固定カメラ４００は、ドーム内部にカメラを収容したドーム型防犯カメラであり、固定カメラ４００のドームを覆うように固定カメラ検査補助具１００を配置させることにより、固定カメラ４００の検査を行うことができる。この場合であっても、ドーム内部のカメラの向きに合わせて、固定カメラ４００の外側のレンズ４０２が、本体１２０の開口端１２２で形成される面１１１よりも内側に配置されることが望ましい。また、ハンドル１０５は、本体１２０との取り付け部において、角度を変えることができる。このようにすることにより、例えば、ドーム内部のカメラが真下を向いている場合であっても、固定カメラ検査補助具１００を適切な位置に容易に配置させることができる。
【００２１】
（３）本実施の形態の変形例
図６及び７は、それぞれ上述の実施の形態の変形例に係る固定カメラ検査補助具２００の側面図及び底面図を示す図である。これらの図に示されるように、固定カメラ検査補助具２００は、内面１２１が連続した面で形成されたドーム形状の本体１２０と、ドーム形状の内側で開口端に沿って複数配置された光源２０２と、光源２０２が設置される光源設置板２０３と、光源１０２の電源である電源部１０４とを有している。ここで、図１及び２に示される固定カメラ検査補助具１００との違いは、光源２０２が光源設置板２０３上に配置されている点であり、この構成以外の構成は同様であるため、重複する構成要素についての説明は省略する。光源２０２は、開口端１２２付近の本体１２０の内側に設置された光源設置板２０３上に開口端１２２に沿って設置される。光源設置板２０３はドーナツ型の板であり、外縁は本体１２０の内面１２１に設置される。このような配置とすることにより、光源２０２から発せられる光をすべて本体１２０の底面に向けることができると共に、開口している領域を小さくできるため、撮影時により外光の影響を受けにくくすることができる。
【００２２】
（４）本実施の形態の効果
本実施の形態及び本実施の形態の変形例では、本体１２０がドーム形状であるため、平面形状と比較して外光の侵入を抑えることができ、ドーム形状の内面１２１において縁部に沿って複数配置された光源１０２からの光をドーム形状の底面を介して提供されるため、カメラに対して均一の光を供給することができる。したがって、固定カメラを取り外すことなく、固定カメラの焼付きの程度を検査することができる。これにより、防犯カメラの交換要否が判断可能となり、無用なカメラ交換が排除でき経済性を向上するとともに、ＣＣＤが焼付きを起こしたカメラを放置することが防げ、適切な時期にカメラの交換を行い、固定カメラの性能維持を容易にすることができる。
【００２３】
また、内面１２１を艶消し白色にしたことにより、カメラのどの画素に対してもより均一の光を供給することができる。また、光源１０２から発光される光を白色とした場合には、いずれの色の感知が劣化している場合であっても、検査において劣化を検知することができ、光源１０２から発光される光を緑色とした場合には、よりカラーフィルタのＭ（マゼンタ）の劣化を視認しやすく撮影することができる。また、角度自在で伸縮自在のハンドル１０５を取り付けることにより、天井や人が入りにくい場所に固定カメラ３００が設置されている場合や検査者の入れる場所が限られる場合等であっても、容易に固定カメラ検査補助具１００を適切な位置に配置させることができる。また、カメラのレンズを、本体１２０の開口端１２２で形成される面１１１よりも内側に配置することにより、より外光の影響を抑えた撮影画像を得ることができ、より適切な検査を行うことができる。また、保存された画像から劣化画素を抽出することにより、より簡易にかつ客観的にカメラの劣化を判定することができる。
【産業上の利用可能性】
【００２４】
本発明は、建物に設置される固定カメラの検査において適用することできる。
【符号の説明】
【００２５】
１００  固定カメラ検査補助具
１０２  光源
１０４  電源部
１０５  ハンドル
１０６  延長配線
１０７  コネクタ
１０８  配線
１１５  取付座
１２０  本体
１２１  内面
１２２  開口端
２００  固定カメラ検査補助具
２０２  光源
２０３  光源設置板
３００  固定カメラ
３０１  記録装置
３０２  レンズ
４００  固定カメラ
４０２  レンズ
【図１】
2017067665.tif 000003
【図２】
2017067665.tif 000004
【図３】
2017067665.tif 000005
【図４】
2017067665.tif 000006
【図５】
2017067665.tif 000007
【図６】
2017067665.tif 000008
【図７】
2017067665.tif 000009